(57)【要約】【課題】  二重化された電源ユニットを備える記憶制御システムにおいて、記憶制御システム内でのバランスを考慮して一方と他方の電源ユニットが点対称の関係で備えられても、二重化された電源ユニットを操作するユーザが操作ミスをしてしまうことを未然に防げるような記憶制御システムを提供する。【解決手段】  二重化された電源ユニット３Ｌ、３Ｒが、それぞれ、ユーザに操作されるユーザ操作部２０Ｌ、２０Ｒを有する電源スイッチを備える。一方の電源ユニット３Ｌの電源スイッチ２０Ｌが、記憶制御システム１１の背面８０Ｂの法線方向に沿った、ユーザ操作部２０Ｌを貫く軸を中心に回転し、それにより、一方のユーザ操作部２０Ｌの電源オン操作対象２２と、他方のユーザ操作部２０Ｒの電源オン操作対象２２とが、同一の方向に位置する。【選択図】図２
2005215847.tif 000002
【特許請求の範囲】
【請求項１】
正面と背面とを有する記憶制御システムにおいて、
データを記憶する記憶装置からデータを読み出したり、前記記憶装置にデータを格納したりするリードライト制御部と、
電力を必要とする前記記憶装置又は前記リードライト制御部に電力を供給する第１と第２の電源ユニットと
を備え、
前記記憶装置又は前記リードライト制御部の電源は、前記第１の電源ユニットから給電を受けられなくなっても前記第２の電源ユニットから給電を受けられるよう二重化されており、
前記第１の電源ユニットは、前記第１の電源ユニットの電源である第１ユニット電源のオン／オフを切替えるためにユーザに操作される第１のユーザ操作部を持った第１の電源スイッチを搭載し、
前記第２の電源ユニットは、前記第２の電源ユニットの電源である第２ユニット電源のオン／オフを切替えるためにユーザに操作される第２のユーザ操作部を持った第２の電源スイッチを搭載し、
前記第１のユーザ操作部は、前記第１ユニット電源をオンにするために操作される第１電源オン操作対象と、前記第１ユニット電源をオフにするために操作される第１電源オフ操作対象とを有しており、
前記第２のユーザ操作部は、前記第２ユニット電源をオンにするために操作される第２電源オン操作対象と、前記第２ユニット電源をオフにするために操作される第２電源オフ操作対象とを有しており、
前記第１及び前記第２のユーザ操作部の両方が、前記記憶制御サブシステムの前記背面に備えられており、
前記第２の電源ユニットは、前記背面の法線方向に沿った軸を中心に１８０度回転して備えられることにより、前記第１と前記第２の電源ユニットとが点対称の関係で備えられて、前記第１のユーザ操作部の前記第１電源オン操作対象と、前記第２のユーザ操作部の前記第２電源オン操作対象とが正反対の方向に位置し、
前記第２の電源スイッチの少なくとも前記第２のユーザ操作部を含んだ部分が、前記第２のユーザ操作部が向いている方向に沿った軸を中心に回転し、それにより、前記第１のユーザ操作部の前記第１電源オン操作対象と、前記第２のユーザ操作部の前記第２電源オン操作対象とが、同一の方向に位置する、
記憶制御システム。
【請求項２】
前記第２の電源スイッチには、リードが接続される端子が備えられており、
前記第２の電源スイッチが、前記第２のユーザ操作部が向いている方向に沿った軸を中心に、右回り及び左回りにそれぞれ０度から９０度まで回転し、その回転角よりも大きく回転しないようになっている、
請求項１記載の記憶制御システム。
【請求項３】
前記第２の電源スイッチの少なくとも前記第２のユーザ操作部を含んだ部分は、着脱可能なスイッチ回転冶具が前記ユーザによって前記第２の電源スイッチに取り付けられた後、前記スイッチ回転冶具が使用されることにより回転する、
請求項１記載の記憶制御システム。
【請求項４】
前記第２の電源スイッチの少なくとも前記第２のユーザ操作部を含んだ部分には、前記スイッチ回転冶具が挿入される挿入孔が備えられ、
前記スイッチ回転冶具が前記挿入孔に挿入され、前記スイッチ回転冶具を用いて前記挿入孔から回転力が与えられることにより、前記第２の電源スイッチの少なくとも前記第２のユーザ操作部を含んだ部分が回転する、
請求項１記載の記憶制御システム。
【請求項５】
前記第２の電源スイッチは、トグルスイッチ、レバースイッチ、スライドスイッチ、ロータリースイッチ、ロッカースイッチ又は２つのボタンを備えた押しボタンスイッチである、
請求項１記載の記憶制御サブシステム。
【請求項６】
同一系統が二重化された、正面と背面とを有する情報処理システムにおいて、
第１の前記同一系統に関わる第１ユニットと、
第２の前記同一系統に関わる第２ユニットと
を備え、
前記第１ユニットは、前記第１の同一系統を操作するユーザに操作される第１のユーザ操作部を持った第１ユーザインタフェースを搭載し、
前記第２ユニットは、前記第２の同一系統を操作する前記ユーザに操作される第２のユーザ操作部を持った第２ユーザインタフェースを搭載し、
前記第１及び前記第２のユーザ操作部の各々は、第１の操作結果を得るために操作される第１操作対象と、第２の操作結果を得るために操作される第２操作対象とを有し、
前記第１及び前記第２のユーザ操作部の両方が、前記情報処理システムの背面に備えられ、
前記第２ユニットは、前記背面の法線方向に沿った軸を中心に１８０度回転して備えられることにより、前記第１ユニットと前記第２ユニットとが点対称の関係で備えられて、前記第１のユーザ操作部の前記第１操作対象と、前記第２のユーザ操作部の前記第１操作対象とが正反対の方向に位置し、
前記第２ユーザインタフェースの少なくとも前記第２のユーザ操作部を含んだ部分が、前記第２のユーザ操作部が向いている方向に沿った軸を中心に回転し、それにより、前記第１のユーザ操作部の前記第１操作対象と、前記第２のユーザ操作部の前記第１操作対象とが、同一の方向に位置する、
情報処理システム。
【請求項７】
ユーザに操作されるユーザ操作部を持ったユーザインタフェースを搭載し、
前記ユーザ操作部は、第１の操作結果を得るために操作される第１操作対象と、第２の操作結果を得るために操作される第２操作対象とを有し、
前記ユーザインタフェースの少なくとも前記ユーザ操作部を含んだ部分が、前記ユーザ操作部が向いている方向に沿った軸を中心に回転する、
装置ユニット。
【発明の詳細な説明】
【技術分野】
【０００１】
本発明は、同一系統が二重化された情報処理装置に関し、例えば、特に、電源が二重化された記憶制御システムに関する。
【背景技術】
【０００２】
例えば、大容量のデータを取り扱う基幹業務用の記憶システムでは、ホストコンピュータ（以下、単に「ホスト」と言う）とは別体に構成された記憶制御システムを用いてデータが管理されている。この記憶制御システムは、例えば、ディスクアレイ装置とも呼ばれ、多数のディスク型記憶装置をアレイ状に配置して構成されているＲＡＩＤ（Redundant Array of Independent Inexpensive Disks）である。
【０００３】
このような記憶制御システムでは、例えば、特開２００１−３３８４８６号公報に示されているように、二重化された電源装置が備えられる（段落３４、図４参照）。
【０００４】
【特許文献１】特開２００１−３３８４８６号公報。
【発明の開示】
【発明が解決しようとする課題】
【０００５】
ところで、電源装置を二重化する主な目的は、一方の電源装置が故障しても、稼動する他方の電源装置を用いることにより、記憶制御システムの稼動が停止してしまうことを防止することにある。そして、各電源装置は、故障時の保守を容易にするため、ユニット化されたモジュールとなっており、モジュールユニット毎に交換することができるようになっている。
【０００６】
図１０に例示するように、ユニット化された２つの電源装置（以下、「電源ユニット」と言う）１０３Ｌ、１０３Ｒは、例えば、それぞれ、電源ユニットの電源のオン／オフを切替えるためにユーザに操作されるユーザ操作部１０１Ｌ、１０１Ｒを持った電源スイッチを搭載している。ユーザ操作部１０１Ｌ、１０１Ｒの各々には、例えば、電源ユニットの電源をオンにするために操作される電源オン操作対象１０５と、その電源をオフにするために操作される電源オフ操作対象１０７とを有しているもの（一例として、ロッカスイッチやトグルスイッチ等のように、操作時にユーザによって触れられる箇所が少なくとも２箇所あるもの）がある。
【０００７】
上述した２つの電源ユニット１０３Ｌ、１０３Ｒがそれぞれ有する２つのユーザ操作部１０１Ｌ、１０１Ｒは、例えば、正面と背面とを有する記憶制御システムのその背面に備えられ、背面の法線方向に存在するユーザによってそれぞれ操作されるようになっている。
【０００８】
また、２つの電源ユニット１０３Ｌ、１０３Ｒは、記憶制御システムにバランス良く実装するため、上下又は左右対称に実装される場合がある。その際、例えば、一方の電源ユニット１０３Ｒは、上記背面の法線方向に沿った軸を中心に１８０度回転して記憶制御システムに備えられることにより、一方と他方の電源ユニット１０１Ｌ、１０１Ｒとが点対称の関係で備えられる場合がある。その場合、図１０に例示するように、一方のユーザ操作部１０１Ｒの電源オン操作対象１０５と、他方のユーザ操作部１０１Ｌの電源オン操作対象とが正反対の方向に位置する。
【０００９】
一般的に、ユーザは、２つの操作対象を有するユーザ操作部を用いて電源のオン／オフを行う場合、人間の習性或いは心理から、同じ方向に位置する操作対象を操作するものと考えられる。そのため、電源オンと電源オフの操作対象が存在する位置が正反対の方向に存在すると、操作ミスを招き、重大な事故につながる可能性が有り得る。このような事故を防ぐために、２つの電源ユニットを点対称ではなく線対称の関係を有するように配置すると、記憶制御システム内でのバランス（例えば、構造的な又は比重的なバランス）が悪くなり、種々の不都合が発生する可能性が生じてしまう。
【００１０】
以上のような問題点は、電源ユニットに限らず、二重化された別種のユニット化された装置を備える場合にも存在し得る。また、以上のような問題点は、記憶制御システムに限らず、二重化された装置ユニットを備える別種の情報処理システムにも存在し得る。
【００１１】
従って、本発明の目的は、二重化された電源ユニットを備える記憶制御システムにおいて、記憶制御システム内でのバランスを考慮して一方と他方の電源ユニットが点対称の関係で備えられても、二重化された電源ユニットを操作するユーザが操作ミスをしてしまうことを未然に防げるような記憶制御システムを提供することにある。より抽象的に言えば、本発明の目的は、二重化された装置ユニットを備える情報処理システムにおいて、情報処理システム内でのバランスを考慮して一方と他方の装置ユニットが点対称の関係で備えられても、二重化された装置ユニットを操作するユーザが操作ミスをしてしまうことを未然に防げるような情報処理システムを提供することにある。
【００１２】
本発明の他の目的は、後述の説明から明らかになるであろう。
【課題を解決するための手段】
【００１３】
本発明に従う記憶制御システムは、正面と背面とを有する記憶制御システムであって、データを記憶する記憶装置からデータを読み出したり、前記記憶装置にデータを格納したりするリードライト制御部と、電力を必要とする前記記憶装置又は前記リードライト制御部に電力を供給する第１と第２の電源ユニットとを備える。前記記憶装置又は前記リードライト制御部の電源は、前記第１の電源ユニットから給電を受けられなくなっても前記第２の電源ユニットから給電を受けられるよう二重化されている。前記第１の電源ユニットは、前記第１の電源ユニットの電源である第１ユニット電源のオン／オフを切替えるためにユーザに操作される第１のユーザ操作部を持った第１の電源スイッチを搭載する。前記第２の電源ユニットは、前記第２の電源ユニットの電源である第２ユニット電源のオン／オフを切替えるためにユーザに操作される第２のユーザ操作部を持った第２の電源スイッチを搭載する。前記第１のユーザ操作部は、前記第１ユニット電源をオンにするために操作される第１電源オン操作対象と、前記第１ユニット電源をオフにするために操作される第１電源オフ操作対象とを有している。前記第２のユーザ操作部は、前記第２ユニット電源をオンにするために操作される第２電源オン操作対象と、前記第２ユニット電源をオフにするために操作される第２電源オフ操作対象とを有している。前記第１及び前記第２のユーザ操作部の両方が、前記記憶制御システムの前記背面に備えられている。前記第２の電源ユニットは、前記背面の法線方向に沿った軸を中心に１８０度回転して備えられることにより、前記第１と前記第２の電源ユニットとが点対称の関係で備えられて、前記第１のユーザ操作部の前記第１電源オン操作対象と、前記第２のユーザ操作部の前記第２電源オン操作対象とが正反対の方向に位置する。前記第２の電源スイッチの少なくとも前記第２のユーザ操作部を含んだ部分（例えば第２の電源スイッチ全体）が、前記第２のユーザ操作部が向いている方向に沿った軸を中心に回転し、それにより、前記第１のユーザ操作部の前記第１電源オン操作対象と、前記第２のユーザ操作部の前記第２電源オン操作対象とが、同一の方向に位置する。
【００１４】
この記憶制御システムの第１の実施態様では、前記第２の電源スイッチには、リードが接続される端子が備えられている。前記第２の電源スイッチは、前記第２のユーザ操作部が向いている方向に沿った軸を中心に、右回り及び左回りにそれぞれ０度から９０度まで回転し、その回転角よりも大きく回転しないようになっている。
【００１５】
この記憶制御システムの第２の実施態様では、前記第２の電源スイッチの少なくとも前記第２のユーザ操作部を含んだ部分は、着脱可能なスイッチ回転冶具が前記ユーザによって前記第２の電源スイッチに取り付けられた後、前記スイッチ回転冶具が使用されることにより回転する。
【００１６】
この記憶制御システムの第３の実施態様では、第２の実施態様において、前記第２の電源スイッチの少なくとも前記第２のユーザ操作部を含んだ部分には、前記スイッチ回転冶具が挿入される挿入孔が備えられる。前記スイッチ回転冶具が前記挿入孔に挿入され、前記スイッチ回転冶具を用いて前記挿入孔から回転力が与えられることにより、前記第２の電源スイッチの少なくとも前記第２のユーザ操作部を含んだ部分が回転する。
【００１７】
この記憶制御システムの第４の実施態様では、前記第１及び前記第２の電源スイッチは、トグルスイッチ、レバースイッチ、スライドスイッチ、ロータリースイッチ、ロッカースイッチ（例えばシーソースイッチ）又は２つのボタンを備えた押しボタンスイッチである。
【００１８】
本発明に従う情報処理システムは、同一系統（例えば電源系統）が二重化された、正面と背面とを有する情報処理システムにおいて、第１の前記同一系統に関わる第１ユニットと、第２の前記同一系統に関わる第２ユニットとを備える。前記第１ユニットは、前記第１の同一系統を操作するユーザに操作される第１のユーザ操作部を持った第１ユーザインタフェースを搭載する。前記第２ユニットは、前記第２の同一系統を操作する前記ユーザに操作される第２のユーザ操作部を持った第２ユーザインタフェースを搭載する。前記第１及び前記第２のユーザ操作部の各々は、第１の操作結果を得るために操作される第１操作対象と、第２の操作結果を得るために操作される第２操作対象とを有する。前記第１及び前記第２のユーザ操作部の両方が、前記情報処理システムの背面に備えられる。前記第２ユニットは、前記背面の法線方向に沿った軸を中心に１８０度回転して備えられることにより、前記第１ユニットと前記第２ユニットとが点対称の関係で備えられて、前記第１のユーザ操作部の前記第１操作対象と、前記第２のユーザ操作部の前記第１操作対象とが正反対の方向に位置する。前記第２ユーザインタフェースの少なくとも前記第２のユーザ操作部を含んだ部分が、前記第２のユーザ操作部が向いている方向に沿った軸を中心に回転し、それにより、前記第１のユーザ操作部の前記第１操作対象と、前記第２のユーザ操作部の前記第１操作対象とが、同一の方向に位置する。
【００１９】
本発明に従う装置ユニットは、ユーザに操作されるユーザ操作部を持ったユーザインタフェースを搭載する。前記ユーザ操作部が、第１の操作結果を得るために操作される第１操作対象と、第２の操作結果を得るために操作される第２操作対象とを有する。前記ユーザインタフェースの少なくとも前記ユーザ操作部を含んだ部分が、前記ユーザ操作部が向いている方向に沿った軸を中心に回転する。
【発明の効果】
【００２０】
本発明によれば、二重化された電源ユニットを備える記憶制御システムにおいて、記憶制御システム内でのバランスを考慮して一方と他方の電源ユニットが点対称の関係で備えられても、二重化された電源ユニットを操作するユーザが操作ミスをしてしまうことを未然に防げるような記憶制御システムが提供される。
【発明を実施するための最良の形態】
【００２１】
以下、図面を参照して本発明の実施の形態を説明する。
【００２２】
図１は、本発明の一実施形態に係る記憶制御システムの機能ブロックを示す。図１１は、その記憶制御システムの外観の概要を示す。
【００２３】
記憶制御システム１１は、例えば、多数のディスク型記憶装置１５をアレイ状に配置して構成されているＲＡＩＤ（Redundant Array of Independent Inexpensive Disks）である。記憶制御システム１１は、図示しないホストに接続され、ホストから受信したデータをディスク型記憶装置１５に格納したり、ディスク型記憶装置１５から読み出したデータをホストに送信したりする。
【００２４】
記憶制御システム１１は、正面８０Ｆ及び背面８０Ｂを有する。この記憶制御システム１１は、直方体状の筐体８２内に複数種類の装置ユニットを搭載し、各種装置ユニットと他種の装置ユニットとを接続することで構成されている。筐体８２に搭載される装置ユニットには、例えば、ディスクユニット１３（図１１には図示せず）と、ディスク用電源ユニット８０Ｌ、８０Ｒと、コントロールユニット１とがある。
【００２５】
ディスクユニット１３には、複数のディスク型記憶装置（例えばハードディスクドライブ（ＨＤＤ））１５が含まれている。各ディスク型記憶装置１５は、二重化された後述の制御部８４Ｌ、８４Ｒの両方に接続されている。
【００２６】
ディスク用電源ユニット８０Ｌ、８０Ｒは、ディスク型記憶装置１５の二重化された電源である。ディスク用電源ユニット８０Ｌ、８０Ｒは、電源回路を搭載したユニットであり、外部（例えば商用電源）からの交流電流（ＡＣ電流）を直流電流に変換してディスク型記憶装置１５に給電する。
【００２７】
コントロールユニット１には、二重化された制御部８４Ｌ、８４Ｒと、制御用電源ユニット３Ｌ、３Ｒとが含まれる。
【００２８】
制御部８４Ｌ、８４Ｒは、電源ユニット３Ｌ、３Ｒから供給された電力により駆動する。制御部８４Ｌ、８４Ｒは、ホストに接続される複数のホスト接続ポート１０、１０、…と、ディスク型記憶装置１５に接続される複数のディスク接続ポート１７、１７、…と、記憶制御システム１１の動作を制御するＭＰＵ（Micro Processing Unit）２１と、ホストとディスク型記憶装置１５との間でやり取りされるデータ等が一時格納されるキャッシュメモリ２３とを備える。
【００２９】
制御用電源ユニット３Ｌ、３Ｒは、各制御部８４Ｌ、８４Ｒの二重化された電源である。制御用電源ユニット３Ｌ、３Ｒは、電源回路を搭載したユニットであり、外部（例えば商用電源）からの交流電流（ＡＣ電流）を直流電流に変換して各制御部８４Ｌ、８４Ｒに給電する。
【００３０】
図２は、記憶制御システム１１の背面側から見たコントローラユニット１の外観を示す。
【００３１】
コントローラユニット１の筐体には、二重化されたコントローラ回路基盤４、５や、二重化された第１と第２の制御用電源ユニット３Ｌ、３Ｒが搭載されており、それらはカバー２５で覆われている。
【００３２】
コントローラ回路基盤４，５は、それぞれ制御部８４Ｌ、８４Ｒに備えられるものであり、複数のディスク接続ポート１７、１７、…を有する。
【００３３】
第１の制御用電源ユニット３Ｌは、コントローラユニット１の筐体の左側に備えられる。第１の制御用電源ユニット３Ｌは、その制御用電源ユニット３Ｌの電源である第１ユニット電源のオン／オフを切替えるためにユーザに操作される第１のユーザ操作部２０Ｌを持った第１の電源スイッチ２Ｌを搭載する。第１の電源スイッチ２Ｌは、例えばシーソースイッチであり、ブレーカを兼ねている。第１のユーザ操作部２０Ｌは、第１ユニット電源をオンにするために操作される第１電源オン操作対象２２Ｌと、前記第１ユニット電源をオフにするために操作される第１電源オフ操作対象２３Ｌとを有している。
【００３４】
第２の制御用電源ユニット３Ｒは、第１の制御用電源ユニット３Ｌと同種の電源ユニットであり、コントローラユニット１の筐体の右側に備えられる。第２の制御用電源ユニット３Ｒは、その制御用電源ユニット３Ｒの電源である第２ユニット電源のオン／オフを切替えるためにユーザに操作される第２のユーザ操作部２０Ｒを持った第２の電源スイッチ２Ｒを搭載する。第２の電源スイッチ２Ｒは、第１の電源スイッチ２Ｌと同じスイッチ、例えばシーソースイッチであり、ブレーカを兼ねている。第２のユーザ操作部２０Ｒは、第２ユニット電源をオンにするために操作される第２電源オン操作対象２２Ｒと、前記第２ユニット電源をオフにするために操作される第２電源オフ操作対象２３Ｒとを有している。
【００３５】
第１及び第２のユーザ操作部２０Ｌ、２０Ｒの両方が、記憶制御システム１１の背面８０Ｂに備えられている。そして、それら第１と第２のユーザ操作部２０Ｌ、２０Ｒをそれぞれ有する第１と第２の電源スイッチ２Ｌ、２Ｒは、背面８０Ｂの法線方向に沿った、ユーザ操作部２０Ｌ、２０Ｒを貫く軸を中心に回転するようになっている。具体的には、例えば、各電源スイッチ２Ｌ、２Ｒには、後述するＵ字型のスイッチ回転冶具が挿入される２つの冶具挿入孔２１、２１が備えられており、スイッチ回転冶具がそれら２つの冶具挿入孔２１、２１に挿入された後、ユーザによってそのスイッチ回転冶具が上記軸を中心に回転されることにより、２つの冶具挿入孔２１、２１から回転力が与えられて、電源スイッチ２Ｌ、２Ｒが回転する。
【００３６】
第２の制御用電源ユニット３Ｒは、背面８０Ｂの法線方向に沿った軸を中心に１８０度回転して備えられることにより、第１と第２の制御用電源ユニット３Ｌ、３Ｒとが点対称の関係で備えられる。このことは、カバー２５を取り外した上方からの外観を示す図３と、前述の図２とを見れば明らかである。このように、上下左右で対称の関係を有するように第１と第２の制御用電源ユニット３Ｌ、３Ｒを備えると、コントローラユニット１の比重バランスが均一になり、且つ、決められた筐体空間においてバランス良く空間が占められる。
【００３７】
また、このように、第１と第２の制御用電源ユニット３Ｌ、３Ｒが点対称の関係を有するように搭載されると、一旦、第１のユーザ操作部２０Ｌの第１電源オン操作対象２２Ｌと、第２のユーザ操作部２０Ｒの第２電源オン操作対象２２Ｒとが正反対の方向に位置する。このままでは、ユーザが、各ユニット電源をターンオン又はターンオフするときに、電源オン及び電源オフの操作対象がそれぞれ正反対になっているので、ユーザは誤操作をしてしまう可能性が高い。
【００３８】
しかし、上述した方法で、第１と第２の電源スイッチ２Ｌ、２Ｒの一方、例えば第２の電源スイッチ２Ｒが、背面８０Ｂの法線方向に沿った、第２のユーザ操作部２０Ｒを貫く軸を中心に回転することにより、図２に示すように、第１のユーザ操作部２０Ｌの第１電源オン操作対象２２Ｌと、第２のユーザ操作部２０Ｒの第２電源オン操作対象２２Ｒとが、同一の方向（例えば紙面下方向）に位置する。これにより、ユーザが誤操作をしてしまう可能性を少なくなる。
【００３９】
なお、電源スイッチ２Ｌ、２Ｒを上記のように可動式にする代わりに、２つの制御用電源ユニット３Ｌ、３Ｒを、点対称ではなく線対称の関係を有するように左右に分けて搭載する方法が考えられる。しかし、図２に示すように、各制御用電源ユニット３Ｌ、３Ｒにおいて、その制御用電源ユニット３Ｌ、３Ｒをコントロールユニット１に固定するための固定部６が、その電源ユニット３Ｌ、３Ｒの背面から背面方向にはみ出ていると、２つの制御用電源ユニット３Ｌ、３Ｒを線対称の関係を有するようにコントロールユニット１に搭載しようとした場合、上記はみ出た固定部６が、コントロールユニット１の筐体内に収まりづらく邪魔になるという問題が生じる。また、そのような固定部６が無かったとしても、コントロールユニット１の比重が均一にならない等のバランス面での問題が生じる。
【００４０】
それ故、２つの制御用電源ユニット３Ｌ、３Ｒの少なくとも一方において、電源スイッチ２Ｌ、２Ｒが上記のように可動式とすることにより、コントロールユニット１におけるバランスを良好にしつつ、ユーザによる誤操作の可能性を低くすることができる。
【００４１】
電源スイッチ２Ｌ、２Ｒを可動式とする機構として種々の機構が考えられる。以下、第２の電源スイッチ２Ｒを代表的に例に採り、可動式の電源スイッチの機構の一例について詳述する。
【００４２】
図４は、第２の電源スイッチ２Ｒを可動式とする機構を示す。図５は、第２の電源ユニット３Ｒに回転可能に取付けられた後の第２の電源スイッチ２Ｒの側面図である。
【００４３】
第２の電源ユニット３Ｒには、第２の電源スイッチ２Ｒの挿入を受けるスイッチ受けリング４１が取り付けられる。第２の電源スイッチ２Ｒがスイッチ受けリング４１に挿入された後、その電源スイッチ２Ｒが第２電源ユニット３Ｒに回転可能に装着されることで、第２の電源スイッチ２Ｒが、そのスイッチ受けリング４１の内部で、第２の電源スイッチ２Ｒの挿入方向に沿った軸（換言すれば、第２ユーザ操作部２０Ｒが向いている方向に沿った軸、以下、「回転軸」と言う）Ｋを中心に回転することができる。
【００４４】
第２の電源スイッチ２Ｒは、例えば、図示のようなシーソースイッチであり、ケーシング６４と、冶具受け板６５と、ユーザ操作部２０Ｒと、リングスケータ６１とを備える。
【００４５】
ケーシング６４は、電源オン操作対象２２Ｒと電源オフ操作対象２３Ｒのうちの選択された操作対象に応じた信号を出力する回路等を包んだ箱である。ケーシング６４の下外表面には、リードが接続される端子２０３が備えられている。
【００４６】
冶具受け板６５は、Ｕ字型（又はＶ字型）のスイッチ回転冶具５０の２つの足がそれぞれ挿入される２つの挿入孔２１、２１と、ユーザ操作部２０Ｒが通過可能な操作部孔（参照番号付さず）とを備える。冶具受け板６５は、ケーシング６４の上方から、ユーザ操作部２０Ｒを操作部孔に通過させてケーシング６４の上外表面に取付けられる。スイッチ回転冶具５０は、冶具受け板６５に着脱することができる。これにより、第２電源スイッチ２Ｒを回転させない場合には、スイッチ回転冶具５０を取り外しておくことで、不必要に第２電源スイッチ２Ｒが回転してしまうことを防ぐことができる。
【００４７】
リングスケータ６１は、ケーシング６４の側面を横切る方向（例えば法線方向）に張り出た板状のものである。リングスケータ６１は、第２の電源スイッチ２Ｒがスイッチ受けリング４１に所定の深さまで挿入された場合に、スイッチ受けリング４１の表面に着地し、その後、第２の電源スイッチ２Ｒが更にスイッチ受けリング４１に進入することを防ぐ。第２電源スイッチ２Ｒが第２電源ユニット３Ｒに回転可能に装着された後（例えば、図５に示すように、スイッチ受けリング４１に着地したリングスケータ６１の表面と、冶具受け板６５の裏面との間に、ケーシング６４を囲むカバーリング４３が備えられた後）、スイッチ回転冶具５０を使用して第２電源スイッチ２Ｒを回転させる操作がユーザによって行われると、それに追随して、リングスケータ６１の裏面がスイッチ受けリング４１の表面を滑る。
【００４８】
図６に例示するように、リングスケータ６１の裏面５３には、スケータ窪み（例えば緩やかな浅い溝）５１が設けられている。一方、スイッチ受けリング４１の表面には、３つのリング山３９、３７、３５と（リング山の数は３つに限らなくても良い）、２つの回転ストッパ３１、３３とが備えられる。各リング山３９、３７、３５が、その山を登り切ったリングスケータ６１のスケータ窪み５１に嵌ることにより、ユーザは、その際にスイッチ回転冶具５０から伝わってくる感触から、第２電源スイッチ２Ｒの回転角を識別することができるようになっている。
【００４９】
例えば、第１のリング山３９は、第２電源スイッチ２Ｒの回転角がゼロ度である位置に設けられる。第２のリング山３７は、第２電源スイッチ２Ｒの回転角が９０度である位置（第２電源スイッチ２Ｒが回転軸Ｋの方向に沿って右回り（以下、単に「右回り」と言う）に９０度回転したときの位置）に設けられる。第３のリング山３５は、第２電源スイッチ２Ｒの回転角がマイナス９０度である位置（第２電源スイッチ２Ｒが回転軸Ｋの方向に沿って左回り（以下、単に「左回り」と言う）に９０度回転したときの位置）に設けられる。
【００５０】
第１の回転ストッパ３３は、第２のリング山３７よりも右回り方向の下流側に備えられる。第１の回転ストッパ３３は、第２電源スイッチ２Ｒの回転角が９０度である場合に、リングスケータ６１を更に右回り方向に進まないように止める壁である。
【００５１】
第２の回転ストッパ３１は、第３のリング山３５よりも左回り方向の下流側に備えられる。第２の回転ストッパ３１は、第２電源スイッチ２Ｒの回転角がマイナス９０度である場合に、リングスケータ６１を更に左回り方向に進まないように止める壁である。
【００５２】
図５、図７及び図８は、第２電源スイッチ２Ｒの回転の様子を示す図である。具体的には、図５は、前述の通り、第２電源スイッチ２Ｒを側面から見た図であり、図７は、第２電源スイッチ２Ｒの第２ユーザ操作部２０Ｒを、それと対向する位置（記憶制御システム１１の背面８０Ｂと対向する位置）から見た図であり、図８は、第２電源スイッチ２Ｒをそれの裏側から見た図（スイッチ受けリング４１の図示省略）である。以下、図５、図７及び図８を参照して、第２電源スイッチ２Ｒの回転動作流れについて説明する。
【００５３】
例えば、第２電源スイッチ２Ｒの回転角がゼロ度の場合（図５（Ａ）、図７（Ａ）及び図８（Ａ）参照）、リングスケータ６１の裏面にあるスケータ窪み５１が、第１のリング山３９に嵌っている状態となっている。
【００５４】
この状態から、ユーザによって第２電源スイッチ２Ｒが右回りに９０度回転させられると、リングスケータ６１が第２のリング山３７を登り切って、スケータ窪み５１が第２リング山３７に嵌り、リングスケータ６１の右回り方向にある側面が、第１の回転ストッパ３３にぶつかる（図５（Ｂ）、図７（Ｂ）及び図８（Ｂ）参照）。これにより、リングスケータ６１が更に右回り方向に進むことができないので、第２電源スイッチ２Ｒも９０度よりも右回り方向に進まない。
【００５５】
また、第２電源スイッチ２Ｒの回転角がゼロ度である状態から、ユーザによって第２電源スイッチ２Ｒが左回りに９０度回転させられると、リングスケータ６１が第３のリング山３５を登り切って、スケータ窪み５１が第３リング山３５に嵌り、リングスケータ６１の左回り方向にある側面が、第２の回転ストッパ３１にぶつかる（図７（Ｃ）及び図８（Ｃ）参照）。これにより、リングスケータ６１が更に左回り方向に進むことができないので、第２電源スイッチ２Ｒも９０度よりも左回り方向に進まない。
【００５６】
以上が、第２電源スイッチ２Ｒの回転機構についての説明である。なお、この回転機構は、第１電源スイッチ２Ｌについても同様である。
【００５７】
上述した実施形態によれば、少なくとも第２制御用電源ユニット３Ｒにおいて、第２電源スイッチ２Ｒが、回転軸を中心に回転することができるようにその電源ユニット３Ｒに備えられる。それにより、第１制御用電源ユニット３Ｌと第２制御用電源ユニット３Ｒとを点対称の関係を有するように記憶制御システム１１に備えても、第１ユーザ操作部２０Ｌの電源オン操作対象２２Ｌと、第２ユーザ操作部２０Ｒの電源オン操作対象２２Ｒとの向きを同一方向に統一することができ、以って、ユーザの誤操作を防止することができる。
【００５８】
また、上述した実施形態によれば、スイッチ回転冶具５０は、冶具受け板６５に着脱することができる。これにより、第２電源スイッチ２Ｒを回転させない場合には、スイッチ回転冶具５０を取り外しておくことで、不必要に第２電源スイッチ２Ｒが回転してしまうことを防ぐことができる。
【００５９】
また、上述した実施形態によれば、第２電源スイッチ２Ｒの回転角は制限されている（例えば、回転角が１８０度以内（右回り及び左回りにそれぞれ９０度以内に抑えられている）。これにより、第２電源スイッチ２Ｒに接続されるリード（配線）の捩れは抑えられ、異常なテンションがかからない。
【００６０】
ところで、上述した実施形態の変形例として、例えば以下のような変形例が考えられる。
【００６１】
例えば、図９に示すように、スイッチ受けリング４１の裏面に、第１〜第３のリング山３９、３７及び３５や、第１〜第２の回転ストッパ３３及び３１が備えられ、且つ、リングスケータ６１の表面に、スケータ窪み５１が設けられても良い。また、この場合、例えば、ケーシング６４にスイッチ受けリング４１が通され、その後で、冶具受け板６５が被せられて接着剤等によりケーシング６４上面に固定されることにより、図９に示すように構成されても良い。
【００６２】
以上、本発明の実施形態及び変形例を説明したが、これらは本発明の説明のための例示であって、本発明の範囲をこの実施形態及び変形例にのみ限定する趣旨ではない。本発明は、他の種々の形態でも実施することが可能である。すなわち、例えば、ディスク用電源ユニット８０Ｌ、８０Ｒにも、上述した可動式の電源スイッチを搭載することができる。また、電源スイッチだけでなく、他種のユーザインターフェースにも上記実施形態や変形例を適用することができる。また、可動式の電源スイッチとして、回転式の電源スイッチを例に採り説明したが、他の様々な方法で動くようにすることができる。また、ユーザインターフェース（例えば電源スイッチ）全体が動く代わりに、ユーザ操作部のみが動くようにしても良い。また、第１及び第２のユーザ操作部は、点上ではなく線上に、第１と第２の操作対象のうちのどの操作対象が選択されたかがわかるようになっていれば（換言すれば、第１と第２の操作対象が２方向に別れていれば）どのようなものでも良い。具体的には、例えば、ユーザインターフェースが電源スイッチの場合、その電源スイッチは、トグルスイッチ、レバースイッチ、スライドスイッチ、ロータリースイッチ、ロッカースイッチ（例えばシーソースイッチ）又は２つのボタンを備えた押しボタンスイッチであっても良い。また、例えば、固定部６が可動式であっても良い（例えば、制御用電源ユニット３Ｌ、３Ｒにおいて、固定部６を有するプレートが、ユーザ操作部が向いている方向に沿った軸を中心に回転しても良い）。また、例えば、リング山は、図４等に例示したように、スイッチ受けリングを走行するリングスケータに対して上り斜面を提供するものであればどのようなものでも良い。また、例えば、電源スイッチの回転角を制限する方法は、上述のように、回転ストッパを設ける方法に限らず他の方法を採用することができる。
【図面の簡単な説明】
【００６３】
【図１】図１は、本発明の一実施形態に係る記憶制御システムの機能ブロックを示す。
【図２】図２は、記憶制御システム１１の背面側から見たコントローラユニット１の外観を示す。
【図３】図３は、図２に示したコントローラユニット１からカバー２５を取り外した場合の、コントローラユニット１を上方から見た外観を示す。
【図４】図４は、第２の電源スイッチ２Ｒを可動式とする機構を示す。
【図５】図５は、第２の電源ユニット３Ｒに回転可能に取付けられた後の第２の電源スイッチ２Ｒの側面図である。
【図６】図６は、リングスケータ６１の裏面の構成例を示す。
【図７】第２電源スイッチ２Ｒの第２ユーザ操作部２０Ｒを、それと対向する位置（記憶制御システム１１の背面８０Ｂと対向する位置）から見た図である。
【図８】図８は、第２電源スイッチ２Ｒをそれの裏側から見た図である。
【図９】図９は、本実施形態の変形例において、第２の電源ユニット３Ｒに回転可能に取付けられた後の第２の電源スイッチ２Ｒを側面から見た図である。
【図１０】図１０は、本発明の課題を説明するための図である。
【図１１】図１１は、本発明の一実施形態に係る記憶制御システムの外観の概要を示す。
【符号の説明】
【００６４】
１…コントロールユニット、２Ｌ、２Ｒ…電源操作スイッチ、３Ｌ、３Ｒ…制御用電源ユニット、１１…記憶制御システム、１５…ディスク型記憶装置、２０Ｌ、２０Ｒ…ユーザ操作部、２２Ｌ、２２Ｒ…電源オン操作対象、２３Ｌ、２３Ｒ…電源オフ操作対象、８０Ｌ、８０Ｒ…ディスク用電源ユニット、８４Ｌ、８４Ｒ…制御部
【図１】
2005215847.tif 000003
【図２】
2005215847.tif 000004
【図３】
2005215847.tif 000005
【図４】
2005215847.tif 000006
【図５】
2005215847.tif 000007
【図６】
2005215847.tif 000008
【図７】
2005215847.tif 000009
【図８】
2005215847.tif 000010
【図９】
2005215847.tif 000011
【図１０】
2005215847.tif 000012
【図１１】
2005215847.tif 000013